(57)【要約】【課題】パーテーション部材を容易に露出及び退避させることができるようにし、作業空間を作業内容に応じて有効に活用できるようにする。【解決手段】パーテーション装置１０は、枢支部材１、一対の支柱２，２、幕体３、棒体４を備える。幕体３は、矢印Ｚ方向に沿って可撓性を有する。棒体４は、幕体３の矢印Ｚ方向における第１の端部を保持する。枢支部材１は、一対の枢支部１１，１１を水平面内で所定間隔を設けて配置する。支柱２は、長手方向の両端部をそれぞれ基端部２Ａ及び開放端部２Ｂとし、基端部２Ａが枢支部１１で収納位置と支持位置との間に回転自在に支持される。支柱２は、棒体４の両端部のそれぞれを長手方向の所定範囲内で移動自在且つ回転自在に保持し、所定範囲内の開放端部側で棒体４の基端部側２Ａへの移動を選択的に規制する規制部２５を有する。【選択図】  図１
2011050622.tif 000002
【特許請求の範囲】
【請求項１】
幕面内の少なくとも第１の方向に沿って可撓性を有する幕体と、
長手方向を水平にして配置され、前記幕体の前記第１の方向における第１の端部を保持する棒体と、
水平方向の回転軸を有する一対の枢支部を水平面内で所定間隔を設けて配置する枢支部部材と、
長手方向の両端部をそれぞれ基端部及び開放端部とした一対の支柱であって、それぞれの基端部が前記一対の枢支部のそれぞれで前記長手方向が水平となる収納位置と前記長手方向が水平から所定角度立ち上がった支持位置との間に回転自在に支持される一対の支柱と、を備え、
前記一対の支柱のそれぞれは、前記棒体の両端部のそれぞれを前記長手方向の所定範囲内で移動自在且つ回転自在に保持し、前記所定範囲内の前記開放端部側で前記棒体の前記基端部側への移動を選択的に規制する規制部を有するパーテーション装置。
【請求項２】
前記一対の支柱のそれぞれは、互いに対向する面に前記長手方向に沿って形成されたレールと、前記レールに摺動自在にされた保持部材であって前記棒体の両端部のそれぞれを前記回転軸に平行な軸周りに回転自在に軸支する保持部材と、を備え、
前記規制部は、前記レール内における前記保持部材の移動を規制する請求項１に記載のパーテーション装置。
【請求項３】
前記一対の支柱のそれぞれは、前記長手方向に沿って少なくとも１箇所で枢支された複数の部材に分割して構成され、前記開放端部で前記棒体の両端部のそれぞれを回転自在に支持する請求項１に記載のパーテーション装置。
【請求項４】
前記枢支部材は、前記幕体の前記第１の方向における第２の端部を固定する固定部を備えた請求項１乃至３の何れかに記載のパーテーション装置。
【請求項５】
前記幕体は、遮光性の布体であり、
前記棒体は、周面に前記幕体を巻き取る巻取機構を備えた請求項１乃至４の何れかに記載のパーテーション装置。
【請求項６】
前記幕体は、水平方向に沿う複数の屈曲部のそれぞれで交互に反対面側に折曲自在にされた請求項１乃至４の何れかに記載のパーテーション装置。
【請求項７】
前記枢支部材は、前記一対の枢支部を長手方向の両端部に配置し、内部に前記幕体及び前記棒体を収納する筐体であり、
前記一対の支柱のそれぞれは、前記枢支部材の上面を開閉する蓋体を兼ねる請求項１乃至６の何れかに記載のパーテーション装置。
【発明の詳細な説明】
【技術分野】
【０００１】
この発明は、机の上面等の卓上の空間を仕切るパーテンション装置に関する。
【背景技術】
【０００２】
事務所等の複数の作業者が事務作業を行う場所では、スペース効率を考慮して、複数の机が横方向に並べて配置される場合や２つの机が互いの背面を突き合わせて配置される場合がある。このように、複数の机を互いに接近させて配置する際には、各作業者の個人的な空間を確保する目的で、各机の間に垂直な平面を備えたパーテーション部材が設置される場合がある。
【０００３】
従来のパーテーション部材として、机の背面に取り付けるものや各机の間の床面に設置するものが提案されている（例えば、特許文献１又は２参照。）。複数の机の上面で構成された平面の上方の空間が、パーテーション部材によって仕切られる。
【先行技術文献】
【特許文献】
【０００４】
【特許文献１】特開２００７−１８８７２０号公報
【特許文献２】特開２００８−１１３７５３号公報
【発明の概要】
【発明が解決しようとする課題】
【０００５】
複数の机を互いに接近させて配置した場合、各作業者の個人的な空間を確保して作業の集中度を高めるように使用される場合だけでなく、複数の机の上面を一面として広く使用される場合がある。しかし、従来のパーテーション部材では、取付及び取外を容易にできるようにしたものがなく、一旦各机の間をパーテーション部材で仕切ると複数の机の上面を一面として広く使用することができなくなる。
【０００６】
また、対面型のキッチンでは、シンクの水撥ねを防止するために、流し台の上面にパーテーション部材が設置される場合があるが、シンクでの作業を行わない場合にもパーテーション部材が露出していると、室内の美観が損なわれる。
【０００７】
この発明の目的は、パーテーション部材を容易に露出及び退避させることができるようにし、作業空間を作業内容に応じて有効に活用できるパーテーション装置を提供することにある。
【課題を解決するための手段】
【０００８】
この発明のパーテーション装置は、幕体、棒体、枢支部材、一対の支柱を備える。幕体は、幕面内の少なくとも第１の方向に沿って可撓性を有する。棒体は、長手方向を水平にして配置され、幕体の第１の方向における第１の端部を保持する。枢支部材は、水平方向の回転軸を有する一対の枢支部を水平面内で所定間隔を設けて配置する。一対の支柱は、それぞれが長手方向の両端部をそれぞれ基端部及び開放端部とし、それぞれの基端部が一対の枢支部のそれぞれで長手方向が水平となる収納位置と長手方向が水平から所定角度立ち上がった支持位置との間に回転自在に支持される。一対の支柱のそれぞれは、棒体の両端部のそれぞれを長手方向の所定範囲内で移動自在且つ回転自在に保持し、所定範囲内の開放端部側で棒体の基端部側への移動を選択的に規制する規制部を有する。
【０００９】
一対の支柱を収納位置と支持位置との間に移動させる間に、一対の支柱のそれぞれに対して棒体の両端部が相対的に回転し、棒体の長手方向は水平から角度変化を生じない。一対の支柱が支持位置に位置している状態では、各支柱の基端部と開放端部とが上下に配置され、棒体が長手方向を水平にしたまま上下に移動自在にされる。棒体には幕体の第１の端部が保持されており、棒体を上下に移動させることで幕体の第１の端部が上下に移動し、幕体が第１の方向に沿って伸縮する。幕体は、棒体の両端部を一対の支柱の基端部側に位置させて一対の支柱を収納位置に位置させた状態では第１の方向に沿って収縮する。この状態で一対の支柱を収納位置に位置させると、パーテーション装置の上方が開放される。一対の支柱を支持位置に位置させて棒体の両端部を一対の支柱の開放端部側に向けて上昇させると第１の方向に沿って伸張する。棒体の基端部側への移動を規制部で規制すると、幕体の伸張した状態が維持され、幕体の幕面の表裏の間が遮蔽される。
【００１０】
この構成において、一対の支柱のそれぞれにレール及び保持部材を備えることが好ましい。レールは、一対の支柱のそれぞれの互いに対向する面に長手方向に沿って形成される。保持部材は、レールに摺動自在にされ、棒体の両端部のそれぞれを回転軸に平行な軸周りに回転自在に軸支する。この場合に、規制部は、レール内における保持部材の移動を規制する。棒体の両端部が、保持部材を介して一対の支柱のそれぞれに対して回転自在にされるとともに、保持部材を介してレールに沿って一対の支柱の基端部側と開放端部との間の所定範囲内に移動自在にされる。また、棒対の両端部が、保持部材を介して規制部によりレール内の移動を規制される。
【００１１】
また、一対の支柱のそれぞれを、長手方向に沿って少なくとも１箇所で枢支された複数の部材に分割して構成し、開放端部で棒体の両端部のそれぞれを回転自在に支持するものとすることができる。一対の支柱を収納位置と支持位置との間の移動に伴って棒体が上下に移動し、棒体を支柱とは別に上下に移動させる必要がなくなる。また、一対の支柱のそれぞれの収納位置での長さに比較して支持位置での長さを長くすることができ、棒体の移動範囲を大きくして幕体を第１の方向に長くすることができる。
【００１２】
さらに、枢支部材は、幕体の第１の方向における第２の端部を固定する固定部を備えることが好ましい。棒体の両端部を一対の支柱の開放端部側に移動させた際の第２の端部の移動を規制することができ、幕体を第１の方向に沿って確実に伸張させることができる。
【００１３】
また、幕体を布体で構成した場合には、棒体に幕体を巻き取る巻取機構を備えることが好ましい。棒体の両端部が一対の支柱の基端部側に位置している状態で、幕体を最小に収縮させることができる。
【００１４】
幕体は、水平方向に沿う複数の屈曲部のそれぞれで交互に反対面側に折曲自在にすることもできる。この場合には、棒体の両端部が一対の支柱の基端部側に位置している状態で、幕体を折り畳んで収縮させることができる。
【００１５】
一対の支柱の互いに対向面に凹部を形成することにより、一対の支柱が収納位置にある状態で幕体及び棒体を一対の支柱の凹部内に収納させることができる。これによって、
また、枢支部材を、一対の枢支部を長手方向の両端部に配置し、内部に幕体及び棒体を収納する筐体で構成し、一対の支柱のそれぞれを、枢支部材の上面を開閉する蓋体とすることが好ましい。一対の支柱を収納位置に位置させた状態で、枢支部材とともに、幕体及び棒体を内部に収納した筐体として構成することができ、設置場所に対する取付及び取外が容易になる。
【発明の効果】
【００１６】
この発明によれば、パーテーション部材を容易に露出及び退避させることができ、作業空間を作業内容に応じて有効に活用することができる。
【図面の簡単な説明】
【００１７】
【図１】（Ａ）及び（Ｂ）は、この発明の第１の実施形態に係るパーテーション装置の収納時及び使用時の外観図である。
【図２】同パーテーション装置の枢支部材の外観図である。
【図３】（Ａ）及び（Ｂ）は、同パーテーション装置の支柱の内側の正面図及び平面図である。
【図４】（Ａ）及び（Ｂ）は、同支柱の要部の斜視図及び開放端部の内側の正面図である。
【図５】この発明の第２の実施形態に係るパーテーション装置の外観図である。
【図６】この発明の第３の実施形態に係るパーテーション装置の外観図である。
【図７】この発明の第４の実施形態に係るパーテーション装置の外観図である。
【発明を実施するための形態】
【００１８】
図１に示すように、この発明の第１の実施形態に係るパーテーション装置１０は、枢支部材１、一対の支柱２，２、幕体３及び棒体４を備えている。
【００１９】
パーテーション装置１０は、使用時には、図１（Ａ）に示すように、一対の支柱２，２が水平から９０度立ち上がった支持位置に位置し、一対の支柱２，２の上端部に棒体４が位置する。棒体４には、幕体３における第１の方向（図１（Ａ）中の矢印Ｚ方向）の第１の端部である上端部が固定されている。枢支部材１、一対の支柱２，２及び棒体４で囲まれた範囲が、幕体３によって遮蔽される。
【００２０】
パーテーション装置１０は、収納時には、図１（Ｂ）に示すように、一対の支柱２，２は水平となる収納位置に位置し、幕体３及び棒体４を収納した枢支部材１の上面を被覆し、全体として横断面が矩形の長尺筐体形状を呈する。
【００２１】
図２に示すように、枢支部材１は、例えば樹脂成形により、長手方向の両端部に上方に突出した一対の枢支部１１，１１を備え、一対の枢支部１１，１１の間に凹部１２を有し、上面が開放した筐体形状に形成されている。一対の枢支部１１，１１には、水平面内で長手方向に直交する孔１１Ａが形成されている。凹部１２には、幕体３の上下方向における第２の端部である下端部が固定されている。
【００２２】
図３（Ａ）及び（Ｂ）に示すように、一対の支柱２，２のそれぞれは、長手方向の第１の端部である基端部２Ａに長手方向に延出した軸部２１を備え、内側面に矢印Ｚで示す長手方向における軸部２１を除く全長にわたる凹部２２が形成されている。軸部２１には、長手方向に直交する方向の軸２１Ａが形成されている。凹部２２内には、矢印Ｚ方向に沿ってレール２３が形成されている。支柱２は、軸部２１を枢支部１１の孔１１Ａに嵌入することで、枢支部１１に軸支される。孔１１Ａの中心軸がこの発明の回転軸に相当する。
【００２３】
図４（Ａ）に示すように、一対の支柱２，２のそれぞれは、レール２３内を長手方向に沿って摺動する保持部材２４を備えている。保持部材２４は、レール２３の第１壁面２３Ａ及び第２壁面２３Ｂの間に位置する嵌入部２４Ａと、貫通孔２４１が形成された軸支部２４Ｂとからなる。図４（Ｂ）に示すように、第１の壁面２３Ａと第２の壁面２３Ｂとの間隔は、支柱２の開放端２Ｂ側で徐々に狭められ、規制部２５にされている。また、第１の壁面２３Ａと第２の壁面２３Ｂとの間は、キャップ２６によって支柱２の開放端で閉鎖されている。保持部材２４をレール２３内で支柱２の開放端２Ｂに向けて移動させていくと、規制部２５内で第１の壁面２３Ａ及び第２の壁面２３Ｂに圧接し、幕体３、棒体４及び保持部材２４の自重による下方への移動が規制される。
【００２４】
規制部２５は、図４（Ｂ）に示す構成に限るものではなく、幕体３、棒体４及び保持部材２４の自重による下方への移動を規制できることを条件に種々の構成とすることができる。例えば、第１の壁面２３Ａと第２の壁面２３Ｂとの間を水平方向に折り曲げ、嵌入部２４Ａを棒体４とともに水平方向に移動させることで自重による下方への移動を規制するようにしてもよい。
【００２５】
棒体４の両端部には、軸部４１Ａが延出した取付部材４１が外嵌している。軸部４１Ａは、貫通孔２４１に嵌入している。棒体４は、両端部で保持部材２４により、孔１１Ａの中心軸と平行な軸周りに回転自在に支持されている。
【００２６】
図１に示す幕体３は、シート状を呈し、面内の少なくとも矢印Ｚ方向に沿って可撓性を有している。幕体３は、例えば遮光性の布体で構成され、パーテーション部材として機能する。
【００２７】
パーテーション装置１０によって机上面等の卓上を仕切る場合には、図１（Ｂ）に示す状態のパーテーション装置１０を卓上の所望の位置に載置する。次いで、一対の支柱２，２を収納位置から支持位置に移動させるべく、支柱２，２を基端部２Ａ側で枢支部１１，１１を支点に回転させる。このとき、保持部材２４に両端部を軸支された棒体４は、枢支部材１内で水平状態を保つ。一対の支柱２，２が垂直状態になった後、棒体４をレール２３に沿って支柱２，２の開放端２Ｂ側に向けて上方に移動させると、保持部材２４が規制部２５の位置に達した状態で棒体４が停止する。枢支部材１の上方に幕体３が拡げられた状態で配置され、幕体３の表裏の間が遮光される。幕体３を挟む両側で個別に作業する作業者の視野が幕体３によって規制され、作業者の作業に対する集中力を向上させることができる。
【００２８】
複数の作業者が共同して作業する場合等において、パーテーション装置１０が設置されている卓上を広く使用したい場合には、棒体４を下方に押し下げる。保持部材２４がレール２３内を規制部２５から支柱２，２の基端部２Ａに向けて下方に移動し、棒体４が枢支部材１に向けて下降する。矢印Ｚ方向に可撓性を有する幕体３を折り畳んで棒体４とともに枢支部材１内に収納させ、支柱２，２を水平となる収納位置に移動させることで枢支部材１の上面が被覆される。卓上を仕切っていた幕体３が無くなることで卓上のスペースを広く使用することができる。
【００２９】
なお、支柱２，２は、収納位置で枢支部材１に固定できるようにされている。
【００３０】
図５に示すように、第２の実施形態に係るパーテーション装置では、幕体３及び棒体４で所謂ロールスクリーンを構成している。具体的には、棒体４を内部に回転力を発生するバネ等の弾性体を収納した円筒体で構成し、棒体４の両端部を保持部材２４によって棒体４の軸周りに回転自在に支持する。支柱２，２が支持位置にある状態で、棒体４を下降させる間に棒体４の周面に幕体３を巻着させ、棒体４を上昇させる間に棒体４の周面から幕体３を引き出すことができ、枢支部材１内への幕体３の収納作業を容易に行うことができる。
【００３１】
また、図６に示すように、第３の実施形態に係るパーテーション装置では、幕体３′を水平方向に沿う複数の屈曲部３１のそれぞれで交互に反対面側に折曲自在にすることで、矢印Ｚ方向に沿って可撓性を有する板状体で構成している。棒体４の上下移動に伴って、幕体３′を容易に拡縮することができ、枢支部材内１への幕体３′の収納作業を容易に行うことができる。
【００３２】
さらに、図７に示すように、第４の実施形態に係るパーテーション装置では、支柱２′，２′のそれぞれを長手方向に沿って１カ所の枢支部２０１で互いに枢支された複数の部材２１１，２１２に分割して構成している。支柱２′は、開放端部２０１Ｂで棒体４の両端部のそれぞれを回転自在に支持する。支柱２′，２′を収納位置と支持位置との間に移動させると同時に棒体４が上下移動するため、支柱２′にレールを設ける必要がなく、構造を簡略化できるとともに、棒体４を上下移動させる操作を不要にできる。また、支柱２，２に比較して幕体３の上下長を長くすることができる。
【００３３】
幕体３及び３′を防水性の素材によって構成することにより、パーテーション装置１０によってオープンキッチンタイプの流し台のシンクの手前を選択的に遮蔽することができる。シンク内で流水による作業時には幕体３又は３′を拡げることで水撥を防止できるとともに、シンク内での作業をしていない時には幕体３又は３′を収縮させて視覚に煩雑な印象を与えないようにすることができる。
【００３４】
なお、卓上におけるパーテーション装置１０の移動を防止するために、枢支部材１を卓上に固定する部材を備えることもできるが、枢支部材１に錘を配置することもできる。
【００３５】
また、枢支部材１は必須ではなく、支柱２，２の各基端部に枢支部１１を備え、支柱２，２の開放端を収納位置で互いに固定できる構成とし、幕体３及び棒体４を支柱２，２の凹部２２内に収納するようにしてもよい。支柱２は、棒体４が長手方向に伸縮することを条件に、支持位置で長手方向を必ずしも垂直にするものである必要はない。これらは支柱２′，２′についても同様である。この場合には、卓上における一対の枢支部１１の位置をネジ止め等によって固定する手段を設けることもできる。
【００３６】
幕体３及び３′が十分な質量を備える場合には、幕体３及び３′の第２の端部は、必ずしも枢支部材１に固定する必要はない。
【００３７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３８】
１−枢支部材
２−支柱
３−幕体
４−棒体
１０−パーテーション装置
１１−枢支部材
２５−規制部
【図１】
2011050622.tif 000003
【図２】
2011050622.tif 000004
【図３】
2011050622.tif 000005
【図４】
2011050622.tif 000006
【図５】
2011050622.tif 000007
【図６】
2011050622.tif 000008
【図７】
2011050622.tif 000009